(57)【特許請求の範囲】
【請求項１】
被測定信号の特性値のいずれか一つを測定する第一特性値測定部と、
前記特性値のうち、前記第一特性値測定部により測定されたもののみを時間に対応付けて表示する表示部と、
前記被測定信号のレベルを測定する第二特性値測定部と、
前記第二特性値測定部により測定された前記レベルに対応付けられた前記被測定信号の有無に応じて前記表示部における表示態様を変化させる表示態様変化部と、
を備え、
前記特性値は、前記被測定信号の周波数、位相およびレベルのいずれか一つ以上であり、
前記表示態様変化部が、前記被測定信号のうち、
前記レベルが所定値を超えるものを前記表示部に表示させ、
前記レベルが所定値未満のものを前記表示部に表示させない、
信号表示装置。
【請求項２】
被測定信号の特性値のいずれか一つを測定する第一特性値測定工程と、
前記特性値のうち、前記第一特性値測定工程により測定されたもののみを時間に対応付けて表示する表示工程と、
前記被測定信号のレベルを測定する第二特性値測定工程と、
前記第二特性値測定工程により測定された前記レベルに対応付けられた前記被測定信号の有無に応じて前記表示工程における表示態様を変化させる表示態様変化工程と、
を備え、
前記特性値は、前記被測定信号の周波数、位相およびレベルのいずれか一つ以上であり、
前記表示態様変化工程が、前記被測定信号のうち、
前記レベルが所定値を超えるものを前記表示工程により表示させ、
前記レベルが所定値未満のものを前記表示工程により表示させない、
信号表示方法。
【請求項３】
信号表示処理をコンピュータに実行させるためのプログラムであって、
前記信号表示処理は、
被測定信号の特性値のいずれか一つを測定する第一特性値測定工程と、
前記特性値のうち、前記第一特性値測定工程により測定されたもののみを時間に対応付けて表示する表示工程と、
前記被測定信号のレベルを測定する第二特性値測定工程と、
前記第二特性値測定工程により測定された前記レベルに対応付けられた前記被測定信号の有無に応じて前記表示工程における表示態様を変化させる表示態様変化工程と、
を備え、
前記特性値は、前記被測定信号の周波数、位相およびレベルのいずれか一つ以上であり、
前記表示態様変化工程が、前記被測定信号のうち、
前記レベルが所定値を超えるものを前記表示工程により表示させ、
前記レベルが所定値未満のものを前記表示工程により表示させない、
プログラム。
【請求項４】
信号表示処理をコンピュータに実行させるためのプログラムを記録したコンピュータによって読み取り可能な記録媒体であって、
前記信号表示処理は、
被測定信号の特性値のいずれか一つを測定する第一特性値測定工程と、
前記特性値のうち、前記第一特性値測定工程により測定されたもののみを時間に対応付けて表示する表示工程と、
前記被測定信号のレベルを測定する第二特性値測定工程と、
前記第二特性値測定工程により測定された前記レベルに対応付けられた前記被測定信号の有無に応じて前記表示工程における表示態様を変化させる表示態様変化工程と、
を備え、
前記特性値は、前記被測定信号の周波数、位相およびレベルのいずれか一つ以上であり、
前記表示態様変化工程が、前記被測定信号のうち、
前記レベルが所定値を超えるものを前記表示工程により表示させ、
前記レベルが所定値未満のものを前記表示工程により表示させない、
記録媒体。
【発明の詳細な説明】
【技術分野】
【０００１】
本発明は、時間に対応付けた信号の特性値（周波数、位相およびレベルなど）の表示に関する。
【背景技術】
【０００２】
従来より、時間に対する信号の周波数の変化を測定するスペクトラムアナライザが知られている（例えば、特許文献１の要約を参照）。
【０００３】
ここで、信号がON/OFFを繰り返す場合が考えられる。図９は、信号がON/OFFを繰り返す場合の、時間に対する信号の周波数を表示した従来例を示す図である。信号がOFF（なし）の時間においてはノイズの周波数が、信号がON（あり）の時間においては信号の周波数を表示されている。一般的には、信号の周波数が測定対象であり、ノイズの周波数は測定対象ではないことが多い。
【先行技術文献】
【特許文献】
【０００４】
【特許文献１】特開平１１−１１８８４８号公報
【発明の概要】
【発明が解決しようとする課題】
【０００５】
しかし、上記の従来例では、ノイズの周波数が大きく変動しているため、信号がOFF（なし）の時間における周波数の表示が目立ってしまう。このため、信号がON（あり）の時間における周波数の表示がかえって見づらくなってしまう。
【０００６】
このように、信号の特性値（周波数、位相およびレベルなど）を時間に対応づけて表示する場合、測定対象の信号の特性値がかえって見づらくなってしまうという問題が生じることがある。
【０００７】
そこで、本発明は、測定対象の信号の特性値の表示を見やすくすることを課題とする。
【課題を解決するための手段】
【０００８】
本発明にかかる信号表示装置は、被測定信号の特性値のいずれか一つを測定する第一特性値測定部と、前記第一特性値測定部により測定された前記特性値を時間に対応付けて表示する表示部と、前記被測定信号の特性値のいずれか一つを測定する第二特性値測定部と、前記第二特性値測定部により測定された前記特性値に応じて前記表示部における表示態様を変化させる表示態様変化部とを備えるように構成される。
【０００９】
上記のように構成された信号表示装置によれば、第一特性値測定部が、被測定信号の特性値のいずれか一つを測定する。表示部が、前記第一特性値測定部により測定された前記特性値を時間に対応付けて表示する。第二特性値測定部が、前記被測定信号の特性値のいずれか一つを測定する。表示態様変化部が、前記第二特性値測定部により測定された前記特性値に応じて前記表示部における表示態様を変化させる。
【００１０】
なお、本発明にかかる信号表示装置は、前記特性値は、前記被測定信号の周波数、位相およびレベルのいずれか一つ以上であるようにしてもよい。
【００１１】
なお、本発明にかかる信号表示装置は、前記表示態様変化部が、前記被測定信号のうち、前記特性値が所定値を超えるものを前記表示部に表示させ、前記特性値が所定値未満のものを前記表示部に表示させないようにしてもよい。
【００１２】
なお、本発明にかかる信号表示装置は、前記表示態様変化部が、前記被測定信号のうち、前記特性値が所定値未満のものを前記表示部に表示させ、前記特性値が所定値を超えるものを前記表示部に表示させないようにしてもよい。
【００１３】
なお、本発明にかかる信号表示装置は、前記表示態様変化部が、前記被測定信号のうち、前記特性値が所定の範囲内のものを前記表示部に表示させ、前記特性値が所定の範囲外のものを前記表示部に表示させないようにしてもよい。
【００１４】
なお、本発明にかかる信号表示装置は、前記表示態様変化部が、前記被測定信号のうち、前記特性値が所定の範囲外のものを前記表示部に表示させ、前記特性値が所定の範囲内のものを前記表示部に表示させないようにしてもよい。
【００１５】
なお、本発明にかかる信号表示装置は、前記表示態様変化部が、前記特性値が所定値を超えるか否かによって、前記表示部における前記被測定信号の表示色を異ならせるようにしてもよい。
【００１６】
なお、本発明にかかる信号表示装置は、前記表示態様変化部が、前記特性値が所定の範囲内か否かによって、前記表示部における前記被測定信号の表示色を異ならせるようにしてもよい。
【００１７】
本発明は、被測定信号の特性値のいずれか一つを測定する第一特性値測定工程と、前記第一特性値測定工程により測定された前記特性値を時間に対応付けて表示する表示工程と、前記被測定信号の特性値のいずれか一つを測定する第二特性値測定工程と、前記第二特性値測定工程により測定された前記特性値に応じて前記表示工程における表示態様を変化させる表示態様変化工程とを備えた信号表示方法である。
【００１８】
本発明は、信号表示処理をコンピュータに実行させるためのプログラムであって、前記信号表示処理は、被測定信号の特性値のいずれか一つを測定する第一特性値測定工程と、前記第一特性値測定工程により測定された前記特性値を時間に対応付けて表示する表示工程と、前記被測定信号の特性値のいずれか一つを測定する第二特性値測定工程と、前記第二特性値測定工程により測定された前記特性値に応じて前記表示工程における表示態様を変化させる表示態様変化工程とを備えたプログラムである。
【００１９】
本発明は、信号表示処理をコンピュータに実行させるためのプログラムを記録したコンピュータによって読み取り可能な記録媒体であって、前記信号表示処理は、被測定信号の特性値のいずれか一つを測定する第一特性値測定工程と、前記第一特性値測定工程により測定された前記特性値を時間に対応付けて表示する表示工程と、前記被測定信号の特性値のいずれか一つを測定する第二特性値測定工程と、前記第二特性値測定工程により測定された前記特性値に応じて前記表示工程における表示態様を変化させる表示態様変化工程とを備えた記録媒体である。
【図面の簡単な説明】
【００２０】
【図１】本発明の第一の実施形態にかかる信号表示装置１の構成を示す図である。
【図２】特性値（信号レベル）が所定値を超える被測定信号の特性値（周波数）を表示部１８に表示させ、特性値（信号レベル）が所定値未満の被測定信号の特性値（周波数）を表示部１８に表示させない表示態様を示す図である。
【図３】特性値（信号レベル）が所定値未満の被測定信号の特性値（周波数）を表示部１８に表示させ、特性値（信号レベル）が所定値を超える被測定信号の特性値（周波数）を表示部１８に表示させない表示態様を示す図である。
【図４】特性値（信号レベル）が所定値を超えるか否かによって、表示部１８における被測定信号の特性値（周波数）の表示色を異ならせる表示態様を示す図である。
【図５】第二の実施形態における信号レベルを示す図である。
【図６】特性値（信号レベル）が所定の範囲内の被測定信号の特性値（周波数）を表示部１８に表示させ、特性値（信号レベル）が所定の範囲外の被測定信号の特性値（周波数）を表示部１８に表示させない表示態様を示す図である。
【図７】特性値（信号レベル）が所定の範囲外の被測定信号の特性値（周波数）を表示部１８に表示させ、特性値（信号レベル）が所定の範囲内の被測定信号の特性値（周波数）を表示部１８に表示させない表示態様を示す図である。
【図８】特性値（信号レベル）が所定の範囲内か否かによって、表示部１８における被測定信号の特性値（周波数）の表示色を異ならせる表示態様を示す図である。
【図９】信号がON/OFFを繰り返す場合の、時間に対する信号の周波数を表示した従来例を示す図である。
【発明を実施するための形態】
【００２１】
以下、本発明の実施形態を図面を参照しながら説明する。
【００２２】
図１は、本発明の第一の実施形態にかかる信号表示装置１の構成を示す図である。信号表示装置１は、Ａ／Ｄコンバータ１０、第一特性値測定部１２、第二特性値測定部１４、表示態様変化部１６、表示部１８を備える。
【００２３】
信号表示装置１は、被測定信号（アナログ）を受ける。Ａ／Ｄコンバータ１０は、被測定信号をアナログからデジタルに変換する。
【００２４】
第一特性値測定部１２は、被測定信号（デジタル）をＡ／Ｄコンバータ１０から受け、被測定信号の特性値のいずれか一つを測定する。特性値は、被測定信号の周波数、位相および信号レベルのいずれか一つ以上である。なお、本発明の実施形態においては、第一特性値測定部１２が測定する特性値は、周波数である。
【００２５】
第二特性値測定部１４は、被測定信号（デジタル）をＡ／Ｄコンバータ１０から受け、被測定信号の特性値のいずれか一つを測定する。本発明の実施形態においては、第二特性値測定部１４が測定する特性値は、信号レベルである。
【００２６】
表示部１８は、第一特性値測定部１２により測定された特性値（周波数）を時間に対応付けて表示する。
【００２７】
表示態様変化部１６は、第二特性値測定部１４により測定された特性値（信号レベル）に応じて表示部１８における表示態様を変化させる。
【００２８】
図２は、特性値（信号レベル）が所定値を超える被測定信号の特性値（周波数）を表示部１８に表示させ、特性値（信号レベル）が所定値未満の被測定信号の特性値（周波数）を表示部１８に表示させない表示態様を示す図である。
【００２９】
図３は、特性値（信号レベル）が所定値未満の被測定信号の特性値（周波数）を表示部１８に表示させ、特性値（信号レベル）が所定値を超える被測定信号の特性値（周波数）を表示部１８に表示させない表示態様を示す図である。
【００３０】
図４は、特性値（信号レベル）が所定値を超えるか否かによって、表示部１８における被測定信号の特性値（周波数）の表示色を異ならせる表示態様を示す図である。
【００３１】
表示部１８における表示態様としては、
（１）特性値（信号レベル）が所定値を超える被測定信号の特性値（周波数）を表示部１８に表示させ、特性値（信号レベル）が所定値未満の被測定信号の特性値（周波数）を表示部１８に表示させない（図２参照）
（２）特性値（信号レベル）が所定値未満の被測定信号の特性値（周波数）を表示部１８に表示させ、特性値（信号レベル）が所定値を超える被測定信号の特性値（周波数）を表示部１８に表示させない（図３参照）
（３）特性値（信号レベル）が所定値を超えるか否かによって、表示部１８における被測定信号の特性値（周波数）の表示色を異ならせる（図４参照）
といったものがある。
【００３２】
なお、所定値および表示態様（１）〜（３）のいずれを採用するかは信号表示装置１のユーザが、信号表示装置１の外部から設定できるものとする。
【００３３】
次に、本発明の第一の実施形態の動作を説明する。
【００３４】
信号表示装置１は、被測定信号（アナログ）を受ける。被測定信号（アナログ）は、Ａ／Ｄコンバータ１０により、デジタルに変換される。デジタルに変換された被測定信号は、第一特性値測定部１２および第二特性値測定部１４に与えられる。
【００３５】
第一特性値測定部１２は、被測定信号（デジタル）の周波数を測定し、測定結果を表示部１８に与える。
【００３６】
第二特性値測定部１４は、被測定信号（デジタル）の信号レベルを測定し、測定結果を表示態様変化部１６に与える。
【００３７】
図２を参照して、表示態様変化部１６は、信号レベルが所定値を超える被測定信号の周波数を表示部１８に表示させる（図２の「信号あり」の区間を参照）。さらに、表示態様変化部１６は、信号レベルが所定値未満の被測定信号の周波数を表示部１８に表示させない（図２の「信号なし」の区間を参照）。
【００３８】
図９と比較すると、図２においては「信号なし」（すなわち、ノイズ）の区間の表示が無いため、「信号あり」（すなわち、被測定信号）の周波数の表示を見やすくすることができる。
【００３９】
また、図３を参照して、表示態様変化部１６は、信号レベルが所定値未満の被測定信号の周波数を表示部１８に表示させる（図３の「信号なし」の区間を参照）ようにしてもよい。この場合、表示態様変化部１６は、信号レベルが所定値を超える被測定信号の周波数を表示部１８に表示させない（図３の「信号あり」の区間を参照）ようにする。
【００４０】
図９と比較すると、図３においては「信号あり」（すなわち、被測定信号）の区間の表示が無いため、「信号なし」（すなわち、ノイズ）の周波数の表示を見やすくすることができる。図３に示す表示態様は、ノイズの周波数を観察したい場合には有効である。
【００４１】
さらに、図４を参照して、表示態様変化部１６は、信号レベルが所定値を超えるか否かによって、表示部１８における被測定信号の特性値（周波数）の表示色を異ならせるようにしてもよい。例えば、図４の「信号なし」の区間を赤色、図４の「信号あり」の区間を黄色で表示してもよい。
【００４２】
図９と比較すると、図４においては「信号あり」（すなわち、被測定信号）の区間の表示色と、「信号なし」（すなわち、ノイズ）の区間の表示色とが異なるため、被測定信号の周波数を観察したい場合にも、ノイズの周波数を観察したい場合にも有効である。
【００４３】
第一の実施形態によれば、表示態様変化部１６による表示態様の変化により（図２〜図４参照）、測定対象の信号（被測定信号またはノイズ）の特性値（例えば、周波数）の表示を見やすくすることができる。
【００４４】
第二の実施形態
第二の実施形態は、特性値（信号レベル）が所定値を超えるか否かで表示部１８における表示態様を変化させるのではなく、特性値（信号レベル）が所定の範囲内であるか否かで表示部１８における表示態様を変化させる点が第一の実施形態と異なる。
【００４５】
第二の実施形態にかかる信号表示装置１の構成は第一の実施形態と同様である（図１参照）。第二の実施形態にかかる信号表示装置１のＡ／Ｄコンバータ１０、第一特性値測定部１２、第二特性値測定部１４および表示部１８は、第一の実施形態と同様であり、説明を省略する。
【００４６】
表示態様変化部１６は、第二特性値測定部１４により測定された特性値（信号レベル）に応じて表示部１８における表示態様を変化させる。
【００４７】
図５は、第二の実施形態における信号レベルを示す図である。信号レベルは、信号なし（ＯＦＦ）、信号あり（ＯＮ）の弱および信号あり（ＯＮ）の強の三段階に分けられるものとする。ここで、信号あり（ＯＮ）の弱のレベルの範囲を、所定の範囲ということとする。ここで、仮に、信号あり（ＯＮ）の周波数の負の区間が弱、信号あり（ＯＮ）の周波数の正の区間が強であるとする。ただし、所定の範囲は、必ずしも、信号あり（ＯＮ）の弱に対応させる必要はなく、図５に示す所定の範囲は、単なる一例である。
【００４８】
表示態様変化部１６は、第二特性値測定部１４により測定された特性値（信号レベル）に応じて表示部１８における表示態様を変化させる。
【００４９】
図６は、特性値（信号レベル）が所定の範囲内の被測定信号の特性値（周波数）を表示部１８に表示させ、特性値（信号レベル）が所定の範囲外の被測定信号の特性値（周波数）を表示部１８に表示させない表示態様を示す図である。
【００５０】
図７は、特性値（信号レベル）が所定の範囲外の被測定信号の特性値（周波数）を表示部１８に表示させ、特性値（信号レベル）が所定の範囲内の被測定信号の特性値（周波数）を表示部１８に表示させない表示態様を示す図である。
【００５１】
図８は、特性値（信号レベル）が所定の範囲内か否かによって、表示部１８における被測定信号の特性値（周波数）の表示色を異ならせる表示態様を示す図である。
【００５２】
表示部１８における表示態様としては、
（１）特性値（信号レベル）が所定の範囲内（信号あり（ＯＮ）の弱）の被測定信号の特性値（周波数）を表示部１８に表示させ、特性値（信号レベル）が所定の範囲外の被測定信号の特性値（周波数）を表示部１８に表示させない（図６参照）
（２）特性値（信号レベル）が所定の範囲外の被測定信号の特性値（周波数）を表示部１８に表示させ、特性値（信号レベル）が所定の範囲内（信号あり（ＯＮ）の弱）の被測定信号の特性値（周波数）を表示部１８に表示させない（図７参照）
（３）特性値（信号レベル）が所定の範囲内（信号あり（ＯＮ）の弱）か否かによって、表示部１８における被測定信号の特性値（周波数）の表示色を異ならせる（図８参照）
といったものがある。
【００５３】
なお、所定の範囲および表示態様（１）〜（３）のいずれを採用するかは信号表示装置１のユーザが、信号表示装置１の外部から設定できるものとする。
【００５４】
次に、本発明の第二の実施形態の動作を説明する。
【００５５】
信号表示装置１は、被測定信号（アナログ）を受ける。被測定信号（アナログ）は、Ａ／Ｄコンバータ１０により、デジタルに変換される。デジタルに変換された被測定信号は、第一特性値測定部１２および第二特性値測定部１４に与えられる。
【００５６】
第一特性値測定部１２は、被測定信号（デジタル）の周波数を測定し、測定結果を表示部１８に与える。
【００５７】
第二特性値測定部１４は、被測定信号（デジタル）の信号レベルを測定し、測定結果を表示態様変化部１６に与える。
【００５８】
図６を参照して、表示態様変化部１６は、信号レベルが所定の範囲内の被測定信号の周波数を表示部１８に表示させる（図６の「信号あり（ＯＮ）の弱」の区間を参照）。さらに、表示態様変化部１６は、信号レベルが所定の範囲外の被測定信号の周波数を表示部１８に表示させない（図２の「信号なし」および「信号あり（ＯＮ）の強」の区間を参照）。
【００５９】
図９と比較すると、図６においては「信号なし」（すなわち、ノイズ）および「信号あり（ＯＮ）の強」の区間の表示が無いため、「信号あり（ＯＮ）の弱」の周波数の表示を見やすくすることができる。
【００６０】
また、図７を参照して、表示態様変化部１６は、信号レベルが所定の範囲外の被測定信号の周波数を表示部１８に表示させる（図７の「信号なし」および「信号あり（ＯＮ）の強」の区間を参照）ようにしてもよい。この場合、表示態様変化部１６は、信号レベルが所定の範囲内の被測定信号の周波数を表示部１８に表示させない（図７の「信号あり（ＯＮ）の弱」の区間を参照）ようにする。
【００６１】
図９と比較すると、図７においては「信号あり（ＯＮ）の弱」の区間の表示が無いため、「信号なし」（すなわち、ノイズ）および「信号あり（ＯＮ）の強」の周波数の表示を見やすくすることができる。図７に示す表示態様は、ノイズおよび「信号あり（ＯＮ）の強」の周波数を観察したい場合には有効である。
【００６２】
さらに、図８を参照して、表示態様変化部１６は、信号レベルが所定の範囲内か否かによって、表示部１８における被測定信号の特性値（周波数）の表示色を異ならせるようにしてもよい。例えば、図８の「信号なし」および「信号あり（ＯＮ）の強」の区間を黄色、図８の「信号あり（ＯＮ）の弱」の区間を赤色で表示してもよい。
【００６３】
図９と比較すると、図８においては「信号あり（ＯＮ）の弱」の区間の表示色と、「信号なし」（すなわち、ノイズ）および「信号あり（ＯＮ）の強」の区間の表示色とが異なるため、被測定信号の周波数を観察したい場合にも、ノイズの周波数を観察したい場合にも有効である。
【００６４】
第二の実施形態によれば、表示態様変化部１６による表示態様の変化により（図６〜図８参照）、測定対象の信号（被測定信号またはノイズ）の特性値（例えば、周波数）の表示を見やすくすることができる。
【００６５】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分、例えば信号表示装置１の第一特性値測定部１２、第二特性値測定部１４、表示態様変化部１６および表示部１８を実現するプログラムを記録したメディアを読み取らせて、ハードディスクにインストールする。このような方法でも、上記の機能を実現できる。
【符号の説明】
【００６６】
１  信号表示装置
１０  Ａ／Ｄコンバータ
１２  第一特性値測定部
１４  第二特性値測定部
１６  表示態様変化部
１８  表示部
【図１】
0005388374.tif 000002
【図２】
0005388374.tif 000003
【図３】
0005388374.tif 000004
【図４】
0005388374.tif 000005
【図５】
0005388374.tif 000006
【図６】
0005388374.tif 000007
【図７】
0005388374.tif 000008
【図８】
0005388374.tif 000009
【図９】
0005388374.tif 000010